(57)【特許請求の範囲】
【請求項１】
記録紙の切断方向に沿って刃先を配置してなる固定刃と、この固定刃の前記刃先に接触して移動して前記記録紙を切断する可動刃とからなるカッタを有するシート切断装置において、
前記可動刃によって切断される記録紙が動かないように保持する保持手段を設けたことを特徴とするシート切断装置。
【請求項２】
前記保持手段は、可動刃によって最後に切断される記録紙の端を受け止めるストッパ手段となっていることを特徴とする請求項１記載のシート切断装置。
【請求項３】
前記ストッパ手段は、ストッパ部材と、最後に切断される記録紙の端を受け止めるセット位置と前記端から離反した退避位置との間で前記ストッパ部材を移動させるストッパ移動手段とで構成されていることを特徴とする請求項２記載のシート切断装置。
【請求項４】
前記ストッパ移動手段は、ストッパ部材をもった可動ガイド板と、ストッパ部材をセット位置に移動させて前記記録紙の端を受け止める受け止め位置とストッパ部材を退避させた退避位置との間で前記可動ガイド板を移動させるガイド板移動手段とから構成されていることを特徴とする請求項３記載のシート切断装置。
【請求項５】
前記ガイド板移動手段は、可動刃を円板刃として保持する刃物台を記録紙の幅方向に移動させる刃物台移動手段と、前記可動ガイド板に設けられ、前記刃物台の移動によってその刃物台に間接又は直接に係合する係合部とで構成されており、前記刃物台が係合部に係合することで可動ガイド板をセット位置に移動させることを特徴とする請求項４記載のシート切断装置。
【請求項６】
前記係合部は、刃物台が移動している間で可動ガイド板の受け止め位置への移動を維持することを特徴とする請求項５記載のシート切断装置。
【請求項７】
前記係合部は、記録紙を切断する前に可動ガイド板を受け止め位置に移動することを特徴とする請求項５又は６記載のシート切断装置。
【請求項８】
記録紙に画像を記録する記録部を備えたカッタ付きプリンタにおいて、前記記録紙の切断方向に沿って刃先を配置してなる固定刃と、前記固定刃の刃先に接触して移動して前記記録紙を切断する可動刃と、前記可動刃によって切断される記録紙が動かないように保持する保持手段とを備え、前記可動刃は、記録紙の画像記録エリア周りの余白のうちの搬送方向の前又は後端の余白を切断することを特徴とするカッタ付きプリンタ。
【請求項９】
前記保持手段は、前記可動刃によって最後に切断される記録紙の端を受け止めるストッパ手段となっていることを特徴とする請求項８記載のカッタ付きプリンタ。
【請求項１０】
前記可動刃と固定刃とからなるカッタを記録紙の搬送方向に並べて一対設け、一方を記録紙の前端余白を切断する前端余白カッタとし、また他方を記録紙の後端余白を切断する後端余白カッタとするとともに、前記保持手段を一対のカッタの間に１個配置してこの保持手段を各カッタでの切断時に兼用して用いることを特徴とする請求項８又は９記載のカッタ付きプリンタ。
【請求項１１】
前記前及び後端余白カッタは、前端余白を切断する第１の円板刃と、後端余白を切断する第２の円板刃と、前記第１及び第２の円板刃とを一体に支持する刃物台と、前記刃物台を待機位置と切断完了位置との間で一往復動させる移動手段と、前端余白を切断するときには記録紙の前端余白のカット位置が第１の円板刃の切断位置に、また後端余白を切断するときには記録紙の後端余白のカット位置が第２の円板刃の切断位置にそれぞれ合うように記録紙の搬送を制御する制御手段とから構成されていることを特徴とする請求項１０記載のカッタ付きプリンタ。
【請求項１２】
前記記録紙を切断した屑を貯めるゴミ受け部を設けたことを特徴とする請求項８乃至１１何れか記載のカッタ付きプリンタ。
【発明の詳細な説明】
【０００１】
【発明の属する技術分野】
本発明は、帯状シート、又はカットシート等のシート（記録紙）を幅方向に切断するシート切断装置及びこの装置を内蔵したカッタ付きプリンタに関するものである。
【０００２】
【従来の技術】
カラーサーマルプリンタには、記録紙を給紙側から排出側に向けた順方向と排出側から給紙側に向けた逆方向との間で往復搬送する間に、１つのサーマルヘッドで３色の画像を面順次に熱記録するものがある。
【０００３】
上記カラーサーマルプリンタは、記録紙をキャプスタンローラとピンチローラとからなる搬送ローラ対でニップし、キャプスタンローラの回転により記録紙を順方向と逆方向とに往復搬送する。そして、搬送ローラ対が何れかの方向に記録紙を搬送する際に、サーマルヘッドによって記録紙に特定の色の画像を熱記録する。この熱記録を安定的に行うために、記録紙よりも小さいサイズの範囲に画像を記録している。したがって、画像記録エリアの全周には余白が生じる。一方、プリント写真などでは、余白の無い縁無しプリントが一般的であり、これとの関係でサーマルプリントでも余白のないプリントが望まれている。このため、画像記録エリアの周りの余白を選択的に切断したいという要請がある。
【０００４】
余白を切断するためには、前後端余白カッタや両側端余白を切断するスリッタ等を配置すればよい。
【０００５】
前後端余白カッタとしては、特開平７−１０７２２８号に記載されているカッタを採用することができる。このカッタは、記録紙を挟んで配置された可動刃と固定刃とから構成されている。可動刃は、搬送方向に対して直交方向となる記録紙の幅方向に移動する。固定刃は、記録紙の幅方向に沿った板状固定刃となっている。可動刃が固定刃に沿って移動することで記録紙を幅方向に切断する。
【０００６】
【発明が解決しようとする課題】
上記公報記載のカッタでは、可動刃が記録紙の幅方向に移動するため、その移動方向に記録紙が動いて真っ直ぐに切断できない恐れがあるとともに、最後に切断される端が可動刃と固定刃との間に挟まって可動刃とともに移動し、その後に可動刃が元に位置に戻るときに落下するため、装置の底部で散乱する恐れがある。このように切断された余白が多数散乱すると装置の機構に支障を来す恐れがある。
【０００７】
本発明は、上記課題を解決するものであり、確実に切断するとともに、切断屑を整頓した状態で貯めることで屑片によるトラブルを防止することができるシート切断装置及びカッタ付きプリンタを提供することを目的とする。
【０００８】
【課題を解決するための手段】
上記目的を達成するために、請求項１記載のシート切断装置では、可動刃によって切断される記録紙が動かないように保持する保持手段を設けたものである。また、請求項２記載のシート切断装置では、可動刃によって最後に切断される記録紙の端を受け止めるストッパ手段を保持手段としたものである。
【０００９】
請求項３記載のシート切断装置では、ストッパ部材と、最後に切断される記録紙の端を受け止めるセット位置と前記端から離反した退避位置との間で前記ストッパ部材を移動させるストッパ移動手段とでストッパ手段を構成したものである。請求項４記載のシート切断装置では、ストッパ部材をもった可動ガイド板と、ストッパ部材をセット位置に移動させて記録紙の端を受け止める受け止め位置とストッパ部材を退避させた退避位置との間で可動ガイド板を移動させるガイド板移動手段とからストッパ移動手段を構成したものである。
【００１０】
請求項５記載のシート切断装置では、可動刃を円板刃として保持する刃物台を記録紙の幅方向に移動させる刃物台移動手段と、可動ガイド板に設けられ、前記刃物台の移動によってその刃物台に間接又は直接に係合する係合部とで構成されており、刃物台が係合部に係合することで可動ガイド板を受け止め位置に移動させるようにしたものである。請求項６記載のシート切断装置では、刃物台が移動している間で可動ガイド板を受け止め位置に維持する係合部としたものである。請求項７記載のシート切断装置では、記録紙を切断する前に可動ガイド板を受け止め位置に移動させる係合部としたものである。
【００１１】
請求項８記載のカッタ付きプリンタでは、記録紙の切断方向に沿って刃先を配置してなる固定刃と、固定刃の刃先に接触して移動して記録紙を切断する可動刃と、可動刃によって切断される記録紙が動かないように保持する保持手段とを備え、可動刃で記録紙の画像記録エリア周りの余白のうちの搬送方向の前又は後端の余白を切断するようにしたものである。請求項９記載のカッタ付きプリンタでは、可動刃によって最後に切断される記録紙の端を受け止めるストッパ手段を保持手段としたものである。
【００１２】
請求項１０記載のカッタ付きプリンタでは、可動刃と固定刃とからなるカッタを記録紙の搬送方向に並べて一対設け、一方を記録紙の前端余白を切断する前端余白カッタとし、また他方を記録紙の後端余白を切断する後端余白カッタとするとともに、前記保持手段を一対のカッタの間に１個配置してこの保持手段を各カッタでの切断時に兼用して用いるようにしたものである。
【００１３】
請求項１１記載のカッタ付きプリンタでは、前端余白を切断する第１の円板刃と、後端余白を切断する第２の円板刃と、前記第１及び第２の円板刃とを一体に支持する刃物台と、前記刃物台を待機位置と切断完了位置との間で一往復動させる移動手段と、前端余白を切断するときには記録紙の前端余白のカット位置が第１の円板刃の切断位置に、また後端余白を切断するときには記録紙の後端余白のカット位置が第２の円板刃の切断位置にそれぞれ合うように記録紙の搬送を制御する制御手段とから前及び後端余白カッタを構成したものである。請求項１２記載のカッタ付きプリンタでは、切断屑を貯めるゴミ受け部を設けたものである。
【００１４】
【発明の実施の形態】
図１は、本発明を実施したカッタ付きプリンタの概略を示すものである。このプリンタでは、シート状のカラー感熱記録紙（以下、「記録紙」と称す。）２を用い、画像を記録後に余白切断有りと無しとの２つのモードを選択することができる。
【００１５】
記録紙２は、給紙部３から同図に示す矢印の逆方向に向けて給紙され、給紙搬送路４を介して記録部搬送路５に送られ、ここで記録部１２により画像記録が行われた後に順方向に向けて送られてカッタ搬送路６に分岐した後にカッタユニット１４で余白が切断され、その後に排出口７から排出される。給紙搬送路４とカッタ搬送路６とは、プリンタの同じ側（同図に示す右側）に配置されており、下側が給紙部３、上側が排出口７となるように記録部搬送路５からそれぞれ分岐されている。給紙部３には、カセット１０が取り付けられる。給紙部３は、カセット１０に複数収納された記録紙２を給紙ローラ１１で給紙する。カッタユニット１４は、記録紙２の画像記録エリアの周りの余白を切断する。
【００１６】
カセット１０には、トレイ部１０ａとゴミ受け部１０ｂとが設けられている。トレイ部１０ａは、排出口７を通って外部に排出される記録紙２を受ける。ゴミ受け部１０ｂは、トレイ部１０ａの下に配置され、カッタユニット１４から出る屑片を受ける。このゴミ受け部１０ｂは、カセット１０をプリンタ内部の記録紙収納室１０ｃに挿入してセットしたときに一緒にプリンタの内部に入り込む。
【００１７】
記録部１２は、３面順次で記録紙にカラー画像を記録するカラー感熱記録方式となっている。記録紙搬送路５の順方向送りの上流側には、図２に示すように、サーマルヘッド１５とプラテンローラ１６とが配置されている。サーマルヘッド１５には、多数の発熱素子をライン状に配列した発熱素子アレイ１５ａが設けられている。このサーマルヘッド１５は、支持軸１５ｂを支点にして、プラテンローラ１６上の記録紙２を押圧するプリント位置と、プラテンローラ１６から離れた退避位置との間で揺動する。
【００１８】
記録紙２は、周知のように、支持体上にシアン感熱発色層，マゼンタ感熱発色層，イエロー感熱発色層が順次層設されている。最上層となるイエロー感熱発色層は熱感度が最も高く、小さな熱エネルギーでイエローに発色する。最下層となるシアン感熱発色層は熱感度が最も低く、大きな熱エネルギーでシアンに発色する。また、イエロー感熱発色層は、４２０ｎｍの近紫外線が照射されたときに、発色能力が消失する。マゼンタ感熱発色層は、イエロー感熱発色層とシアン感熱発色層との中間程度の熱エネルギーでマゼンタに発色し、３６５ｎｍの紫外線が照射されたときに発色能力が消失する。記録紙２に、例えばブラック感熱発色層を設けて４層構造にしてもよい。
【００１９】
サーマルヘッド７の順方向送りの下流側には、記録紙２を搬送する搬送ローラ対１８が配置されている。この搬送ローラ対１８は、キャプスタンローラ１９と、このキャプスタンローラ１９の上方で回転自在とされたピンチローラ２０とを備えている。キャプスタンローラ１９は、記録紙２の下方に配置されており、パルスモータからなる記録紙送りモータ２１により駆動される。ピンチローラ２０は、キャプスタンローラ１９から離れた位置と圧接した位置との間で移動する。そして、搬送ローラ対１８は、位置センサー２２によって記録紙２の先端を検出すると、ピンチローラ２０の圧接によって記録紙２を挟み込み、キャプスタンローラ１９の回転によって記録紙２を給紙側から排紙側へ向けた順方向（矢印Ａ方向）と、排紙側から給紙側へ向けた逆方向（矢印Ｂ方向）とに交互に搬送する。
【００２０】
ピンチローラ２０の回転軸にはエンコーダ２３が設けられている。エンコーダ２３は、ピンチローラ２０の回転数を検出して記録紙２の搬送量を計測する。
【００２１】
搬送ローラ対１８の順方向送りの下流側には、光定着器２４が配置されている。この光定着器２４は、発光ピークが４２０ｎｍの近紫外線を発生するイエロー用紫外線ランプ２５と、発光ピークが３６５ｎｍの紫外線を発生するマゼンタ用紫外線ランプ２６と、これらの背後を覆うリフレクタ２７とから構成されている。
【００２２】
カッタユニット１４には、図３に示すように、順方向送りの上流側に配置した前後端余白カッタ３０と、ストッパ手段と、その下流側に配置した両側端余白カッタ３１との他に、これらを単一の駆動源で駆動させるための駆動機構３２がそれぞれ一体的に組み込まれている。カッタユニット１４の外観は図４に示す形態となっている。
【００２３】
前後端余白カッタ３０は、図３に示したように、前端余白カッタ３３と後端余白カッタ３４とからなる。前端余白カッタ３０は、記録紙２を幅方向に沿って切断して、画像記録エリア周りの順方向送りの下流側余白（以下、「前端余白」という）を切り離す。後端余白カッタ３４は、記録紙２を幅方向に沿って切断して、画像記録エリア周りの順方向送りの上流側余白（以下、「後端余白」という）を切り離す。
【００２４】
後端余白カッタ３４に対して順方向送りの下流側には、両側端余白カッタ３１が配置されている。両側端余白カッタ３１には、排出ローラ対３５が組み込まれている。排出ローラ対３５は、記録紙送りモータ２１で駆動され、記録紙２をニップして順方向に搬送する。両側端余白カッタ３１は、排出ローラ対３５によって搬送される記録紙２を搬送方向に切断して、画像記録エリア周りのうちの幅方向の左右余白を同時に切り離す。
【００２５】
駆動機構３２は、単一のカッタ用のモータ３８、伝動切換え機構３９、駆動変換機構４０、及び移動機構４１とで構成されている。
【００２６】
伝導切換え機構３９は、モータ３８の駆動をその回転方向に応じて駆動変換機構４０と移動機構４１との何れか一方に伝達する。駆動変換機構４０は、モータ３８の一方向の回転駆動を往復直線動に変換する。前後端余白カッタ３０は、その往復直線動を利用して記録紙２の前後端余白を切断する。移動機構４１は、モータ３８の他方向の回転駆動を両側端余白カッタ３１に入力する。
【００２７】
前端余白カッタ３３は、第１の固定刃４４と第１の円板刃４５とから構成されている。また、後端余白カッタ３４は、前端余白カッタ３３に対して順方向送りの下流側に配置されており、第２の固定刃４６と第２の円板刃４７とから構成されている。第１及び第２の円板刃４５，４７は、刃物台４８に一緒に支持されており、駆動変換機構４０から得られる往復動により刃物台４８が記録紙２の幅方向に移動することで一緒に移動する。なお、この実施形態では、第１及び第２の円板刃４５，４７をカッタ搬送路６の下側に、また第１及び第２の固定刃４４，４６を搬送路６の上側にそれぞれ配置している。
【００２８】
搬送路６の上側には、一対の位置センサ５０，５１がそれぞれ配置されている。記録紙２の順方向送りの上流側の位置センサ５０は、記録紙２の後端を検出する。この位置センサ５０が記録紙２の後端を検出したときには、記録紙２の後端余白の予定切断位置が第２の円板刃４７のカット位置に合うようになっている。このとき、前端余白をカットする第１の円板刃４５のカット位置には記録紙２が位置していない状態となっている。
【００２９】
下流側の位置センサ５１は、記録紙２の前端を検出する。この位置センサ５１が記録紙２の前端を検出したときには、記録紙２の前端余白の予定切断位置が第１の円板刃４５のカット位置に合う。このとき、後端余白をカットする第２の円板刃４７の切断位置には記録紙２が位置していない状態となっている。
【００３０】
制御部５２は、前端余白をカットするときに、記録紙送りモータ２１を駆動して記録紙２を順方向に搬送しながら、位置センサ５１を監視し、位置センサ５１で記録紙２の前端を検出したときに記録紙送りモータ１１の駆動を停止する。また、その後の後端余白カット時には、位置センサ５０を監視し、位置センサ５０で記録紙２の後端を検出したときに記録紙送りモータ１１の駆動を停止する。
【００３１】
なお、制御部５２には、プリンタの外部に操作可能に設けたプリントボタン５４やカット選択スイッチ５５が接続されている。カット選択スイッチ５５は、プリントボタン５４を操作する前に画像記録エリアの全周余白をカットするか否かを選択するためのものである。
【００３２】
伝導切換え機構３９は、図５に示すように、遊星歯車機構５７、歯車列やベルト伝達等で構成される両側端余白カッタ伝動系５８、及び前後端余白カッタ伝動系５９とからなる。遊星歯車機構５７には、太陽歯車６０にモータ３８の駆動が伝達される。遊星歯車６１は、太陽歯車６０を中心に公転することで、両側端余白カッタ伝動系５８の入力歯車５８ａと前後端余白カッタ伝動系５９の入力歯車５９ａとの何れか一方に噛合される。これにより、両側端余白カッタ伝動系５８と前後端余白カッタ伝動系５９とには、モータ３８の回転方向に応じた駆動が選択的に入力される。以下、前後端余白カッタ伝動系５９に駆動を伝達するモータ３８の回転方向を正転、また、両側端余白カッタ伝動系５８に駆動を伝達する回転方向を逆転として説明する。
【００３３】
刃物台４８は、図６及び図７に示すように、断面Ｕ字状の開放側を下に向けた姿勢で配置されている。刃物台４８は、ガイド手段により記録紙２の幅方向に移動自在にガイドされている。ガイド手段は、刃物台４８の両側に取り付けられた断面Ｌ字状の一対の片６５，６６と、片６５，６６に係合する一対の刃物台ガイド６７，６８とで構成されている。刃物台ガイド６７，６８は、記録紙２の搬送方向の両側に配置された一対のＬ字板６９，７０の内壁に取り付けられている。一対のＬ字板６９，７０は、短片が対向した姿勢でベース板７１にそれぞれ固定されている。この一対のＬ字板６９，７０には、短片の先端縁に一対の固定刃４４，４６がそれぞれ形成されている。一対の固定刃４４，４５は、刃先が互いに対向している。
【００３４】
刃物台４８には、カッタ搬送路６の下側に向けて突出した一対の支持板７３，７４が一体に形成されている。順方向送りの下流側の支持板７３には第２の円板刃４７が、また、上流側の支持板７４には第１の円板刃４５がそれぞれ回転自在に取り付けられている。また、一対の支持板７３，７４には、第１及び第２の円板刃４５，４７を下方から覆う保護カバー７５，７６もそれぞれ取り付けらている。
【００３５】
第１及び第２の円板刃４５，４７は、それぞれバネ７２の付勢により固定刃４４，４６の刃先に接触している。一対の支持板７３，７４及び保護カバー７５，７６には、刃物台４８が往動する側に切り欠き７７，７８が設けられている。一対の円板刃４５，４７は、切り欠き７７，７８を通して一対の固定刃４４，４６との間で記録紙２を切断する。
【００３６】
ベース板７１には、刃物台４８の上面を露呈する開口８０が形成されている。この開口８０は、刃物台４８の移動を許容する長さで形成されており、また刃物台４８の上方への抜け止めの作用も兼ねている。ベース板７１には、一対のスイッチ８１，８２が記録紙２の幅方向に所定間隔離して取り付けらている。一対のスイッチ８１，８２は、スイッチ片が刃物台４８の移動路に入り込んでいる。第１のスイッチ８１は、記録紙２の通過を妨げない待機位置に刃物台４８が移動したことを検出して制御部５２にその旨の信号を送る。第２のスイッチ８２は、切断完了位置から刃物台４８がオーバーランしたことを検出してモータ３８の駆動を緊急に停止させる信号を制御部５２に送る。制御部５２は、第１及び第２のスイッチ８１，８２からの信号に応じてモータ３８の駆動を制御する。
【００３７】
駆動変換機構４０は、一対のベルト車８４，８５、歯付きベルト８６の他に、図８に示すように、一対の弾性爪８７，８８、セクタ歯車８９、ベルトガイド板９０、及び一対のストッパ８０ａ，８０ｂ等から構成されている。一対のベルト車８４，８５は、記録紙２の幅方向の両側に配置されている。これらのベルト車８４，８５には歯付きベルト８６が平行掛けされている。このベルト８６は、刃物台４８の断面Ｕ字状の内部を通る。一方のベルト車８４には、図５で説明した前後端余白伝動系５９の入力歯車５９ａの駆動が入力される。これにより、ベルト車８４，８５は、歯付きベルト８６を一方向に向けて回転させる。
【００３８】
セクタ歯車８９は、歯部８９ａが歯付きベルト８６の復動側ベルト８６ａと往動側ベルト８６ｂとの何れか一方に噛合するように、刃物台４８に設けた軸９１に回転自在に取り付けられている。ベルトガイド板９０は、断面コ字状となっており、セクタ歯車８９の上から軸９１に圧入されることで、セクタ歯車８９の軸抜け防止の作用と、Ｌ字に折り曲げられた両端９０ａ，９０ｂで復動側ベルト８６ａ又は往動側ベルト８６ｂがセクタ歯車８９の歯部８９ａから逃げないように阻止する作用とを行う。
【００３９】
セクタ歯車８９には、側面に一対の固定爪８９ｂ，８９ｃが形成されている。一対の固定爪８９ｂ，８９ｃは、軸９１を中心とした回転対称位置にそれぞれ設けられており、セクタ歯車８９が復動側ベルト８６ａ、又は往動側ベルト８６ｂに噛合したときに一対の弾性爪８７，８８のうちの何れか一方に係合する。一対の弾性爪８７，８８は、刃物台４８のの一対の固定爪８９ｂ，８９ｃに対峙する面に設けられており、セクタ歯車８９の一対の固定爪８９ｂ，８９ｃとの協働により復動側ベルト８６ａ、又は往動側ベルト８６ｂの移動を刃物台４８に伝達する。これにより、刃物台４８は、記録紙２の幅外に設定された待機位置と、他方側の幅外に設定された切断完了位置との間で往復動する。
【００４０】
一対の弾性爪８７，８８は、刃物台４８の移動に負荷が生じた場合に弾性変形して一対の固定爪８９ｂ，８９ｃとの係合を解除する。これらの係合が解除されると、図９及び図１０に示すように、歯部８９ａが噛合した側の歯付きベルト８６の移動方向に沿うようにセクタ歯車８９が回転する。そして、歯部８９ａが逆側の歯付きベルト８６に噛合したときに再び一対の弾性爪８７，８８と一対の固定爪８９ｂ，８９ｃとが係合する。これにより、刃物台４８が逆方向に向けて移動する。
【００４１】
一対のストッパー８０ａ，８０ｂは、ベース板７１の開口８０のうちの記録紙２の幅方向に沿った両縁となっている。刃物台４８が待機位置に移動したときには、刃物台４８がストッパー８０ａに当接し、また切断完了位置に移動したときにはストッパー８０ｂに当接する。刃物台４８が一対のストッパー８０ａ，８０ｂに当接したときにも、一対の弾性爪８７，８が弾性変形して固定爪８９ｂ，８９ｃとの係合を解除する。
【００４２】
一対の弾性爪８７，８８は、記録紙２を何れか一方の円板刃４５（４７）で切断するときの負荷には弾性変形せずに、この基準となる負荷を超えたときに弾性変形する。したがって、基準の負荷よりも大きい負荷を検出すると、刃物台４８は、直ぐに待機位置に戻される。
【００４３】
このような駆動変換機構４０を組み込んだことで、例えば前端又は後端余白の切断時に記録紙２の停止位置がずれて円板刃４５，４７の両方のカット位置に記録紙２がまたがって停止した場合、一対の円板刃４５，４７の両方が一緒に移動するから、両方の円板刃４５，４７で記録紙２を切断してしまう不都合が生じるのに対し、この実施形態では両方の円板刃４５，４７で記録紙２に切り込んだ場合、刃物台４８の移動に、基準の負荷よりも大きい負荷が生じるから、すぐに刃物台４８が待機位置に戻される。このため、前述したような不都合を未然に防止することができる。
【００４４】
また、多枚給紙された記録紙２を切断するときや一対の円板刃４５，４７の何れか一方又は両方が何らかの原因で欠損したとき等によっても、刃物台４８が直ぐに待機位置に戻されるから、円板刃４５，４７のトラブルに起因する記録紙２の詰まり等の不都合も未然に防止することができる。
【００４５】
さらに、前端余白切断時に、上記のような不都合が生じると、刃物台４８が正常に往復動したときによりも早く待機位置に戻る。この点を利用して制御部５２は、待機位置検出用のスイッチ８１の開閉を計時し、その計時値と予め決められた正常切断時のときの基準値とを比較することで、切断が正常か又は異常かを特定することができる。そして、異常と判断したときには、その後の両側端余白切断、並びに後端余白切断を中止して記録紙２を切断せずにそのまま排出するように記録紙送りモータ２１、及びカッタ用のモータ３８との駆動を制御するようにしてもよい。このようにすることで、プリンタ内部での切断に起因する記録紙２のジャムを未然に防止することができる。
【００４６】
前後端余白カッタ３０には、ストッパ手段が取り付けられている。ストッパ手段は、落下する余白屑を整頓してゴミ受け部１０ｂに貯めるために、記録紙２の幅方向の両端のうちの前後端余白カッタ３０の切断方向とは逆側の端を受け止める。
【００４７】
ストッパ手段９２は、図７、図１１乃至図１３に示したように、ストッパ部材９３、及び可動ガイド板９４等で構成されている。可動ガイド板９４は、第１及び第２円板刃４５，４７の間で、且つ記録紙２の搬送路の上に、断面Ｖ字状を記録紙２の幅方向に伸ばした形態で配置されている。ストッパ部材９３は、Ｖ字を構成する一方の片９４ａに設けられている。
【００４８】
可動ガイド板９４には、記録紙２の幅方向の両側に支持板９４ｃが設けられている。一対の支持板９４ｃは、ベース板７１に設けた支持ピン９５に回転自在に支持されている。これにより、可動ガイド板９４は、ストッパ部材９３を記録紙２の搬送面と略同じ位置に移動させた受け止め位置と搬送面から上方に退避させた退避位置との間で回転自在となっており、バネ９６により退避位置に向けて付勢されている。退避位置は、ベース板７１に設けた止めピン９７に当接することで決められ、この位置では、可動ガイド板９４が記録紙２の搬送を妨げることはない。
【００４９】
可動ガイド板９４のＶ字を構成する他方の片９１ｂには、係合片９４ｄが設けられている。係合片９４ｄには、刃物台４８に設けた押圧部９８（図７参照）が係合する。押圧部９８は、刃物台４８の往動により係合片９４ｄに係合する。これにより、可動ガイド板９４がバネ９６の付勢に抗して受け止め位置に向けて回転する。押圧部９８の往動方向の面はテーパ面となっており、これにより、可動ガイド板９４はスムーズに回転する。ストッパ部材９３は、可動ガイド板９４が受け止め位置のときに前後端余白カッタ３０の各切断時に最後に切断させる記録紙２の端を受け止める。
【００５０】
記録紙２の幅方向に沿った係合片９４ｄの長さは、刃物台４８の往動時の移動長さよりも僅かに短くされている。したがって、押圧部９８は、刃物台４８が待機位置のときには係合片９４ｄに係合せず、待機位置から僅かに往動して第１又は第２円板刃４５，４７が記録紙２を切断する前に係合する。押圧部９８と係合片９４ｄとの係合は、刃物台４８が再び待機位置に戻るまで継続される。
【００５１】
両側端余白カッタ３１は、図１４乃至図１６に示すように、排出ローラ対３５と、記録紙２の両側縁部を搬送方向に切断する一対のスリッタ１００，１０１と、これらスリッタ１００，１０１を記録紙２の幅方向に移動させるシフト機構１０２とからなる。シフト機構１０２は、記録紙２を切断するカット位置と記録紙２の搬送を妨げない退避位置との間でスリッタ１００、１０１を移動させる。排出ローラ対３５は、記録紙２をニップして排出口７に向けて排出する上ローラ１０３、及び下ローラ１０４とからなる。上ローラ１０３は、記録紙２の幅方向に平行に配置された上ローラ軸１０５と、上ローラ軸１０５に所定間隔離して固定された２個の上ローラ本体１０６，１０７とからなる。
【００５２】
下ローラ１０４は、記録紙２の幅方向と平行に配置された下ローラ軸１０８と、前記一対の上ローラ本体１０６，１０７に当接するように下ローラ軸１０８に固定された２個の下ローラ本体１０９，１１０とからなる。上・下ローラ軸１０５，１０８の一端には、互いに噛合するギヤ１１１，１１２がそれぞれ固定されている。これらのギヤ１１１，１１２は、一方のギヤ１１１に記録紙送りモータ２１の駆動が伝達されることで上・下ローラ軸１０５，１０８をそれぞれ回転させる。なお、スリッタ１００，１０１、及び上・下ローラ本体１０６，１０７，１０９，１１０は、搬送路６の中央を（記録紙２の幅方向の中央）に対して左右対称の位置にそれぞれ配置されている。
【００５３】
左スリッタ１００は、上回転刃１１５と下回転刃１１６とから構成されている。また、右スリッタ１０１も、一対の上回転刃１１７と下回転刃１１８とから構成されている。下回転刃１１６，１１８は、下ローラ軸１０８と同軸で、且つ下ローラ本体１０９，１１０の両外側にそれぞれ固定されており、下ローラ軸１０８と一緒に回転する。下回転刃１１６，１１８の刃先間隔、すなわち図１５に示した間隔Ｌ１は、予め決められた画像記録エリアの幅、又はそれよりも僅かに狭い幅に相当する間隔となっている。
【００５４】
上回転刃１１５，１１７は、下回転刃１１６，１１８に当接するカット位置と記録紙２の幅と同じ位置又は僅かに外側位置に退避する退避位置との間でシフト機構１０２により移動される。シフト機構１０２は、一対の刃スライド部材１２０，１２１、一対のガイドブラケット１２２，１２３、及びガイドブラケット１２２，１２３を連係して移動させるカム機構とからなる。
【００５５】
刃スライド部材１２０，１２１には、上回転刃１１５，１１７が取り付けられている。刃スライド部材１２０，１２１は、左右で構成が同じであるため、ここでは一方の刃スライド部材１２０について説明し、他方の説明を省略する。刃スライド部材１２０には、図１７に示すように、上ローラ軸１０５の方向に長い溝１２０ａが周方向の１８０度の回転位置にそれぞれ形成されている。この溝１２０ａには、圧入ピン１１９がそれぞれ挿入される。ピン１１９は、溝１２０ａを介して上ローラ軸１０５に形成した穴１０５ａに挿通され、その先端が反対側の溝１２０ａに入り込む。これにより、刃スライド部材１２０は、上ローラ軸１０５の軸方向に沿って移動自在に、且つ上ローラ軸１０５と一緒に回転するように支持される。
【００５６】
一対の刃スライド部材１２０，１２１には、一対のガイドブラケット１２２，１２３にそれぞれ支持されている。刃スライド部材１２０，１２１とガイドブラケット１２２，１２３との間には、コイルバネ１２９がそれぞれ挿入されている。これらのコイルバネ１２９は、ガイドブラケット１２２，１２３と刃スライド部材１２０，１２１とを上ローラ軸１０５の軸方向のうちの離反方向にそれぞれ付勢する。
【００５７】
左ガイドブラケット１２２は、一端で左刃スライド部材１２０を保持しており、他端に左カムピン１２４をもっている。右ガイドブラケット１２３も、一端で右刃スライド部材１２１を保持しており、他端に右カムピン１２５をもっている。左右のガイドブラケット１２２，１２３は、刃スライド部材１２０，１２１を回転自在に、且つ上ローラ軸１０５の軸方向には僅かな遊びを持って保持している。
【００５８】
上・下ローラ１０３，１０４との両端は、カッタフレーム１２６に回転自在に支持されている。カッタフレーム１２６には、一対の直進ガイド開口１２７，１２８が形成されている。一対の直進ガイド開口１２７，１２８は、一対カムピン１２４，１２５を記録紙２の幅方向に移動自在にガイドする。
【００５９】
シフト機構を構成するカム板１３０は、楕円形に形成されており、取付軸１３１に取り付けられている。このカム板１３０には、楕円状のカム溝１３２が形成されている。カム溝１３２には、カムピン１２４，１２５が係合している。取付軸１３１には、ギヤ１３４が同軸に取り付けられている。ギヤ１３４には、図５で説明した入力ギヤ５８ａの駆動が伝達される。これにより、カム板１３０は一方向に回転し、カムピン１２４，１２５を介して一対のガイドブラケット１２２，１２３を記録紙２の幅方向に一緒に移動させる。ガイドブラケット１２２，１２３は、刃スライド部材１２０，１２１を支持しているので、上回転刃１１５，１１７がカット位置と退避位置との間で移動する。退避位置では、図１５に示した上回転刃１１５，１１７の刃先間隔Ｌ２が記録紙２の幅と同じか、又はこれよりも僅かに広くなっている。
【００６０】
カム溝１３２は、カム板１３０の９０度ごとの回転位置によって一対の上回転刃１１５，１１７をカット位置と退避位置との順番で交互に移動させる形状となっている。カム板１３０の上には、９０度ごとの回転位置を検出するカム板回転位置検出機構が設けられている。この機構は、４つの突起部１３６と、スイッチ１３５とからなる。突起部１３６は、カム板１３０の上に、９０度ごとの回転位置に、カム板１３０の回転軸から放射方向に突出して形成されており、カム板１３０の９０度ごとの回転位置でスイッチ１３５をＯＮする。こスイッチ１３５のの信号は制御部５２に送られる。
【００６１】
制御部５２には、カット選択スイッチ５５の操作により、記録紙２の余白を切断するか否かの選択操作信号が入力される。カット選択スイッチ５５により余白切断が選択された場合に制御部５２は、モータ３８を逆転駆動させてカム板１３０を一方向に回転させる。このモータ３８の駆動中にスイッチ１３５を監視し、スイッチ１３５から次のＯＮ信号が得られた時点でモータ３８の駆動を停止する。
【００６２】
また、ガイドブラケット１２２，１２３には、図１４に示したように分離ガイド部材が取り付けられている。分離ガイド部材１５０は、スリッタ１００，１０１で切断した両側端余白の屑片２ｂ，２ｃをカッタ搬送路６からゴミ受け部１０ｂに向けてガイドする。
【００６３】
次に上記実施形態の作用について説明する。プリンタの初期状態は、サーマルヘッド１５がプラテンローラ１６から離れた退避位置にセットされ、また、搬送ローラ対１８のピンチローラ２０がキャプスタンローラ１９から離れた位置にセットされている。
【００６４】
前後端余白カッタ３０の刃物台４８は待機位置に位置しており、このため第１及び第２の円板刃４５，４７によって記録紙２の通過を妨げなることはない。また、刃物台４８が待機位置にあるため、可動ガイド板９４も退避位置となっている。両側端余白カッタ３１の上回転刃１１５，１１７は、記録紙２の幅と同じか又は幅よりも外側にそれぞれ退避した退避位置に位置している。
【００６５】
プリントを開始する前には、カット選択スイッチ５５で余白カットの可否を選択的に入力する。そして、選択した後にプリントボタン５４を操作すると、まず、制御部５２は、給紙を行う。これにより、記録紙２は、給紙部３から送り出されてサーマルヘッド１５に向けて給紙される。
【００６６】
送り出された記録紙２は、図２において記録面を下にした状態で逆方向に向けて送られ、搬送ローラ対１８のピンチローラ１９とキャプスタンローラ２０との間を通過して、サーマルヘッド１５とプラテンローラ１６との間を通過する。そして、位置センサ２２により、記録紙２の逆方向送りの後端を検出すると、記録紙送りモータ２１の駆動をいったん停止し、その後ピンチローラ２０をキャプスタンローラ１９に圧接する位置に移動させ、ピンチローラ２０とキャプスタンローラ１９とで記録紙２を挟み込む。
【００６７】
また、搬送ローラ対１０の挟み込み後に、サーマルヘッド１５がプリント位置に移動する。その後に、記録紙送りモータ２１が駆動され、キャプスタンローラ１９を回転させて記録紙２を順方向に向けて搬送する。
【００６８】
この搬送中に、制御部５２はエンコーダ２３から得られる記録紙送り量を監視して、サーマルヘッド１５の位置に画像記録エリアの先端が位置することを検知した時点で、サーマルヘッド１５を駆動して記録紙２の画像記録エリア内にイエロー画像を１ラインずつ熱記録する。また、この熱記録中には、光定着器２４のイエロー用紫外線ランプ２５が点灯し、熱記録済みのイエロー感熱発色層を光定着する。
【００６９】
イエロー画像の熱記録が終了すると、サーマルヘッド１５が退避位置に移動され、その後に記録紙２を逆方向に向けて搬送して、記録紙２の逆方向送りの後端を位置センサ２２で検知するまで搬送を継続する。その後に、再び記録紙２を順方向に搬送し、この搬送中にサーマルヘッド１５をプリント位置に移動させ、画像記録エリア内にサーマルヘッド１５によるマゼンタ画像の熱記録を行い、且つマゼンタ用紫外線ランプ２６によるマゼンタ感熱発色層の光定着が行われる。
【００７０】
マゼンタ画像の熱記録が終了すると、同様にしてシアン画像の熱記録が行われる。なお、シアン画像の熱記録中にマゼンタ用紫外線ランプ２６を点灯し、未記録エリアを漂白する。
【００７１】
シアン画像の熱記録が終了すると、画像記録エリア内には、３色面順次によってフルカラー画像が形成される。そして、シアン画像の記録後には、搬送ローラ対１８により、画像記録後の記録紙２がカッタユニット１４に送られる。
【００７２】
この搬送の前には、制御部５２が両側端余白カッタ３１の上回転刃１１５，１１７をカット位置にセットするように制御されている。この制御は、まず、モータ３８を逆転駆動させる。この駆動は、両側端余白カッタ伝動系５８を介して取付軸１３１に入力され、カム板１３０に伝達される。カム板１３０は、一方向に回転する。この回転により、カム溝１３２に係合しているカムピン１２４，１２５は、カム溝１３２と直線ガイド開口１２７，１２８との交点の移動に伴なって移動する。これにより、ガイドブラケット１２２，１２３がシフトする。このシフトは、刃スライド部材１２０，１２１に伝達される。
【００７３】
制御部５２は、モータ３８を駆動中に、スイッチ１３５からの信号を監視しており、スイッチ１３５から次のＯＮ信号を検出した時点で、モータ３８の駆動を停止する。これにより、一対の刃スライド部材１２２，１２３がカット位置にそれぞれ移動され、上回転刃１１５，１１７が下回転刃１１６，１１８に軸方向の両端側からそれぞれ当接した状態となる。この状態では、上回転刃１１５，１１７がバネ１２８により下回転刃１１６，１１８に押し付けられている。
【００７４】
記録紙２は、図３に示すカッタユニット１４に搬送される。そして、記録紙２の先端が第１の位置センサ５１により検出されると、制御部５２は、記録紙送りモータ２１の駆動を停止する。これにより、記録紙２の前端余白の予定切断位置が第１の円板刃４５のカット位置に合う。
【００７５】
その後、今度はモータ３８を正転駆動させる。これにより遊星歯車６１が前後端余白カッタ伝動系５９に噛合して歯付きベルト８６が一方向に向けて回転する。セクタ歯車８９は、図９に示すように、初期状態が復動側ベルト８６ａに歯部８９ａが噛合した状態となっており、刃物台４８は、最初に復動方向に移動される。刃物台４８が移動すると、すぐに待機位置側のストッパー８０ａに当接する。これにより、弾性爪８７，８８が弾性変形して固定爪８９ｂ，８９ｃとの係合が解除され、セクタ歯車８９が軸９１を中心に反時計方向に回転する。
【００７６】
その後、セクタ歯車８９の歯部８９ａは、図１０に示すように、往動側ベルト８６ｂに係合するとともに、固定爪８９ｂ，８９ｃが弾性爪８７，８８に係合する。これにより、往動側ベルト８６ｂと同じ方向、すなわち往動方向に向けて刃物台４８が移動し、一対の円板刃４５，４７も一緒に移動する。
【００７７】
刃物台４８が往動すると、図１２に示したように、第１円板刃４５が記録紙２に噛み込む前に押圧部９８のテーパ面９８ａが係合片９４ｄに係合し、係合片９４ｄを押圧する。これにより、可動ガイド板９４がバネ９６の付勢に抗して受け止め位置に向けて回転する。刃物台４８の移動が継続され、係合片９４ｄとの係合位置がテーパ面を脱すると、可動ガイド板９４が受け止め位置に回転した状態となる。これにより、ストッパ部材９３が側面から見ると記録紙２の搬送面と同じ高さ位置に入り込み、且つ平面から見ると図１３に示したように、記録紙２の先端２ｄ寄りの端２ｅに接触、又は接近した状態となる。
【００７８】
そして、刃物台４８の移動が継続されることで、第１の円板刃４５が固定刃４４との間で記録紙２を幅方向に切断する。このとき、第１の円板刃４５が記録紙２を切断方向に押圧するが、ストッパ部材９３がこの移動を阻止しているから、スムーズに切断することができる。第１の円板刃４５が前端余白を切断する最後では、固定刃４４との間に記録紙２の端２ｅが噛み込み、第１円板刃４５の移動につられて前端余白も移動しようとするとが、この移動もストッパ部材９３によって阻止されるから、確実に切断することができる。なお、前端余白切断時にも第２の円板刃４７が一緒に移動しているが、第２の円板刃４７は、そのカット位置に記録紙２が存在しないから、記録紙２を切断することはない。
【００７９】
第１の円板刃４５が前端余白を切断すると、図１２に示すように、前端余白の屑片２ｆがゴミ受けトレイ１０ｂに落下する。そして、この落下位置は、ストッパ部材９３で切断方向にずれないように保持しているから、それほど狂うことはない。したがって、前端余白の屑片２ｆがゴミ受け部１０ｂに貯められると、記録紙２の幅方向の両側端、及び搬送方向の前後端が一様に揃った状態となる。
【００８０】
刃物台４８が切断完了位置に達すると、反対側のストッパー８０ｂに当接する。これにより、刃物台４８の移動が阻止されて弾性爪８７，８８が弾性変形し、固定爪８９ｂ，８９ｃとの係合が解除される。係合が解除されると、図１０に示したセクタ歯車８９が反時計方向に回転し、歯部８９ａが復動側ベルト８６ａに噛合する。このとき、図９に示したように固定爪８９ｂ，８９ｃが弾性爪８７，８８に再び係合し、セクタ歯車８９の回転が阻止される。これにより、切断完了位置から待機位置に向けた復動方向に刃物台４８が移動する。そして、待機位置に達すると第１のスイッチ８１をＯＮする。この信号を受け取ることで制御部５２がモータ３８の駆動を停止する。これにより、前端余白のカットが完了する。
【００８１】
刃物台４８が待機位置に戻ると、押圧部９８と係合片９４ｄとの係合が解除される。このため、可動ガイド板９４がバネ９６の付勢により退避位置に移動する。これにより、記録紙２の端２ｆがストッパ部材９３に当たるような不都合を確実に防止することができる。
【００８２】
前後余白カットが完了した後には、制御部５２が記録紙送りモータ２１を駆動し、記録紙２を順方向に向けて搬送する。この搬送の途中で記録紙２は、先端が排出ローラ対３５でニップされるとともに、記録紙２の両端余白は、両側端余白カッタ３１の上・下回転刃１１５〜１１８で切断されてゆく。その後、記録紙２の後端を第２の位置センサ５０で検出すると、制御部５２が記録紙送りモータ２１の駆動を停止する。これにより、第２の円板刃４７のカット位置に記録紙２の後端余白の予定切断位置が合う。その後に制御部５２は、モータ３８を正転駆動して前述したと同じに刃物台４８を一往復動させる。これにより、第１及び第２の円板刃４５，４７が刃物台４８と一緒に移動し、このうちの往動時に第２の円板刃４７が固定刃４６との間で記録紙２の後端余白を切断する。このとき、第１の円板刃４５は記録紙２を切断することはない。
【００８３】
後端余白切断時も、前述したと同じに刃物台４８が待機位置から移動したときに、押圧部９８が係合片９４ｄを押圧して可動ガイド板９４を受け止め位置に回転させる。これにより、第２の円板刃４７での切断時にも図１３に示しように、点線で示した記録紙２の後端２ｄの端２ｅがストッパ部材９３で受け止められる。したがって、後端余白の屑片もゴミ受け部１０ｂに整頓された状態で貯められる。この実施形態では、前・後端余白カッタ３３，３４を搬送方向に接近した状態で並べて配置しているから、前端余白と後端余白との屑片が交互に積まれて貯められる。
【００８４】
後端余白カットが完了した後には、制御部５２が再び記録紙送りモータ２１を駆動する。記録紙２が排出ローラ対３５により搬送されると、上・下回転刃１１５〜１１８によって左右余白の切断が継続される。前後及び左右の余白が切断された記録紙２は、排出ローラ対３５により排出口７から外部に排出される。記録紙２が排出された後には、モータ３８を逆転駆動して上回転刃１１５，１１７を退避位置に移動させる。これにより、次回のプリント動作の準備が完了する。
【００８５】
カット選択スイッチ５５により余白切断無しを選択している場合には、画像記録後に記録紙送りモータ２１の駆動を継続して記録紙２をそのまま排出ローラ対３５によって排出口７から外部に排出する。カッタユニット１４を通過するときには、両側端余白カッタ３１の上回転刃１１５，１１７がそれぞれ記録紙２の通過を妨げない位置に退避しているから、問題はない。
【００８６】
両側端余白カッタ３１で切断された屑片２ｂ，２ｃは、ゴミ受け部３４に落下する。この屑片２ｂ，２ｃは、記録紙２の両側端を切断したものであるため、前後端余白の屑片２ｆとは異なる位置に貯められる。
【００８７】
複数枚のプリントが指示され、且つ余白カットが選択されている場合には、両側端余白カッタ３１の上回転刃１１５，１１７をカット位置にしたまま、次のプリントが開始される。そして、三色面順次プリントを終了した後に、前後端余白カッタ３０が作動して各余白を切断する。
【００８８】
上記実施形態のプリンタでは、記録紙２を、例えばハガキサイズとし、余白をカットした記録紙２のサイズを、銀塩方式のプリント写真の例えばＬサイズと同じサイズにすると、余白をカットした記録紙２に対してはプリント写真と同じにアルバム等に入れて記録画像を楽しめ、またカットしないときにはポストカードとして楽しむとができる。
【００８９】
上記実施形態では、記録部１２を感熱記録タイプのサーマルプリンタの例として説明したが、本発明はインクリボンやインクシートを使用する熱転写タイプにも適用することができる。また、カラーサーマルプリンタの他にモノクロサーマルプリンタに適用することもできる。さらにはインクドット方式等の他のプリンタに本発明を実施してもよい。
【００９０】
上記実施形態では、シートとして１枚にカットされた記録紙２を用いているが、本発明ではこれに限らず、ロール形態から帯状に引き出したシートを用いてもよい。また、カッタ付きプリンタとしてが、記録部を省略してカッタ装置としてもよい。
【００９１】
前記実施形態では、第１及び第２の円板刃４５，４７を刃物台４８に一体に取り付けているが、別々の刃物台に取り付けてもよい。また、何れか一方のカッタを省略して、１個のカッタで前端余白と後端余白とを切断するようにしてもよい。また、モータの一方向の駆動を利用して刃物台４８を往復動させる機構としているが、本発明ではこれに限らす、モータの正逆回転を用いて刃物台を往復動させてもよい。
【００９２】
モータの正逆回転を用いて刃物台を往復動させる場合には、刃物台４８に生じる負荷を、モータに流れる電流値から検出する機構を用いて、切断時のトラブルを回避する。例えば、図１８に示す実施形態では、モータ２２０の正・逆回転で刃物台４８をそれぞれ往・復動させる。モータ２２０の過負荷は、電流検出手段２２１で検出される。電流検出手段２２１は、モータ２２０に流れる電流を測定し、その値をデジタル信号で制御部２２３に送る。制御部２２３は、モータドライバ２２２を介してモータ２２０の駆動を制御するとともに、電流検出手段２２１から得られる電流値を監視し、この電流値が基準の範囲を超えたときにモータ２２０の駆動を逆転させるようモータドライバ２２２を制御する。このような実施形態でも、前述したと同じに、第１又は第２の円板刃４５，４７の何れか一方だけで記録紙２を切断するときには、電流値が基準の範囲内となるので切断が正常に行えるとともに、円板刃４５，４７の両方で１枚の記録紙２を切断するとき、及び２枚以上重なった記録紙を何れか一方又は両方の円板刃４５，４７で切断したときには電流値が基準の範囲を超えるため、制御部２２３が刃物台４８を待機位置に戻す。
【００９３】
上述した各実施形態では、ストッパ部材９３を可動にしているが、本発明ではこれに限らず、記録紙２の幅と同じか或いは幅よりも外に位置してるから、固定にしてもよい。また、ストッパ部材９３を回転させて退避位置に移動させているが、スライド移動にしてもよい。さらに、記録紙２の端に当てて止めるストッパ部材３０の代わりに、可動ガイド板に摩擦部材を取り付け、この摩擦部材で切断する余白を保持するようにしてもよい。この場合には、固定刃の搬送路に対峙する面との間で切断する部分を挟み込むようにすればよい。そして、挟み付けるタイミングとしては、切断の前又は後が望ましい。また、前後端余白カッタ３０として円板刃を用いているが、円板刃の代わりに、直線刃としてもよい。この場合には、可動刃の一端を先に、他端を遅らせて落とし込むタイプにおいて、押し込み方向に対向する記録紙の端を押さえるのが効果的である。
【００９４】
【発明の効果】
以上説明したように、本発明では、可動刃によって切断される記録紙が動かないように保持する保持手段を設けたから、切断が確実に行えるとともに、例えば記録紙の余白を切断するときには、切断された余白を整頓した状態で貯めておくことができ、トラブルの防止を図ることができる。また、別の発明では、可動刃によって最後に切断される記録紙の端を受け止めるストッパ手段を保持手段としたから、可動刃の移動につられて移動する記録紙を阻止でき、したがって、確実な切断が行える。
【００９５】
請求項３記載のシート切断装置では、ストッパ部材と、最後に切断される記録紙の端を受け止めるセット位置と端縁から離反した退避位置との間でストッパ部材を移動させる移動手段とでストッパ手段を構成したから、記録紙を搬送するときにストッパ部材が邪魔をすることを防ぐことができる。請求項５記載のシート切断装置では、刃物台の移動を利用して可動ガイド板をセット位置に移動させるようにしたから、別個に可動ガイド板を移動させる駆動手段を必要とせず、したがって、ローコスト化を図ることができる。さらに、請求項１２記載のカッタ付きプリンタでは、ゴミ受け部に切断屑が整頓した状態で貯まるから、ゴミ受け部をコンパクトにすることができる。
【図面の簡単な説明】
【図１】本発明のカッタ付きプリンタの内部構造を示した概略図である。
【図２】記録部の要部を示す概略図である。
【図３】カッタユニットの概略図である。
【図４】カッタユニットの外観を示す斜視図である。
【図５】カッタユニットの駆動機構の概略を示した斜視図である。
【図６】前後端余白カッタの概略を示す斜視図である。
【図７】前後端余白カッタを示す断面図である。
【図８】刃物台を裏面から見た状態を示す分解斜視図である。
【図９】刃物台が復動した状態を示す説明図である。
【図１０】刃物台が往動した状態を示す説明図である。
【図１１】ストッパ部材を設けた可動ガイド板の外観を示す斜視図である。
【図１２】前後端余白カッタが作動している状態を示す説明図であり、記録紙の搬送方向から見ている。
【図１３】前後端余白カッタが作動している状態を平面で説明した説明図である。
【図１４】両側端余白カッタの外観を示す斜視図である。
【図１５】上回転刃を退避位置に移動した状態の両側端余白カッタを示す断面図である。
【図１６】上回転刃をカット位置に移動した状態の両側端余白カッタを示す断面図である。
【図１７】刃スライド部材の要部を示す分解斜視図である。
【図１８】モータの正逆回転で刃物台を移動させる別の実施例の安全回路を示すブロック図である。
【符号の説明】
２  記録紙
１０ｂ  ゴミ受け部
１４  カッタユニット
１５  サーマルヘッド
１８  搬送ローラ対
２２，５０，５１  位置センサ
２４  光定着器
３０  前後端余白カッタ
３１  両側端余白カッタ
３５  排出ローラ対
９３  ストッパ部材
９４  可動ガイド板
１０６，１０７  上ローラ本体
１０９，１１０  下ローラ本体
１１５，１１７  上回転刃
１１６，１１８  下回転刃
【図１】
0003832799.tif 000002
【図２】
0003832799.tif 000003
【図３】
0003832799.tif 000004
【図４】
0003832799.tif 000005
【図５】
0003832799.tif 000006
【図６】
0003832799.tif 000007
【図７】
0003832799.tif 000008
【図８】
0003832799.tif 000009
【図９】
0003832799.tif 000010
【図１０】
0003832799.tif 000011
【図１１】
0003832799.tif 000012
【図１２】
0003832799.tif 000013
【図１３】
0003832799.tif 000014
【図１４】
0003832799.tif 000015
【図１５】
0003832799.tif 000016
【図１６】
0003832799.tif 000017
【図１７】
0003832799.tif 000018
【図１８】
0003832799.tif 000019